(57)【要約】【課題】  媒体給送時に、媒体の後端が給送経路と衝突する事で発生する衝突音を防止する事が可能な媒体給送装置、及び当該媒体給送装置を備えた記録装置と液体噴射装置を提供する事である。【解決手段】  本発明の一の実施形態のインクジェット式複合機１００によれば、媒体を給送する中間（給送）ローラ４５と、中間ローラ４５と当接可能に配設され、重送された媒体を分離するリタードローラユニット４３と、分離された下層の媒体を戻す紙戻し爪部７１ａを備えたフロント紙戻しユニット４４と、を含む媒体給送装置であって、紙戻し背面部７１ｂが媒体の給送経路の一部をなすように形成されている事を特徴とする。これにより、フロント紙戻しユニット４３の紙戻し背面部７１ｂが給送媒体のガイトとして機能する為、給送される媒体が紙戻し爪部７１ａの先端を通過した後に、給送経路に急激に移動して衝突するのを防ぎ、衝突音の発生を防止する事が可能である。【選択図】  図８
2006117387.tif 000002
【特許請求の範囲】
【請求項１】
媒体を給送する給送ローラと、
該給送ローラと当接可能に配設され、重送された媒体を分離するリタードローラと、
分離された下層の前記媒体を戻す爪を備えた戻し機構と、を含む媒体給送装置であって、
前記戻し機構が前記媒体を戻した後に、前記爪の背面が媒体給送経路の一部をなすように形成されている事を特徴とする媒体給送装置。
【請求項２】
前記媒体を戻した直後の前記背面を含む面と、当該面と前記給送ローラの外周面との交線における前記給送ローラの接面と、がなす角度が鋭角となる事を特徴とする請求項１〜２に記載の媒体給送装置。
【請求項３】
前記背面は、給送される前記媒体の後端が前記給送経路の他の部分と接触するまで前記背面に接触し続けるように形成されている事を特徴とする請求項１又は２に記載の媒体給送装置。
【請求項４】
媒体に記録する記録装置であって、
請求項１乃至３の何れか一項に記載の媒体給送装置を備えたことを特徴とする記録装置。
【請求項５】
被噴射媒体に液体を噴射する液体噴射装置であって、
請求項１乃至３の何れか一項に記載の媒体給送装置を備えたことを特徴とする液体噴射装置。
【発明の詳細な説明】
【技術分野】
【０００１】
本発明は、媒体を給送する給送ローラと、該給送ローラと当接可能に配設され、重送された媒体を分離するリタードローラと、分離された下層の上記媒体を戻す爪を備えた戻し機構と、を含む媒体給送装置及びその媒体給送装置を備えた記録装置と液体噴射装置に関する。
【背景技術】
【０００２】
従来より、記録装置のひとつであるインクジェット式プリンタの給送装置には、重送された媒体を分離し、戻す手段のひとつとして、分離ローラと戻し爪と呼ばれる鉤状部材からなる分離機構が使用されていた。例えば、特許文献１に開示されている給送装置では、フィードローラに圧接して回動する分離ローラを備えた分離機構が使用されている。この機構には、上記フィードローラの媒体給送経路後方に媒体検知センサが取り付けられており、その媒体検知センサとソレノイドが繋がっている。さらに、リンク機構がソレノイドと繋がっており、ソレノイドから組み合わせたリンク機構を介して、命令を受けて動く戻し爪がフィードローラの後方に設置されている。
【０００３】
この装置では、まず重送された媒体を分離ローラとフィードローラによって分離する。その分離ローラの先にある媒体検知センサが分離された媒体を検知、媒体検知センサがその情報をソレノイドに伝える。そして、ソレノイドから組み合わせたリンク機構に戻し爪を動かすよう命令が出る。その結果、戻し爪が動いて重送された用紙を戻すと言うものである。この装置により媒体を確実に分離して１枚ずつ給送する事が可能となった。
【０００４】
【特許文献１】特開平５−１４７８３１号公報
【発明の開示】
【発明が解決しようとする課題】
【０００５】
上述した従来の給装装置に使用されていた戻し機構では、こしの強い用紙を分離して給送した場合、分離した用紙の後端が用紙経路に衝突して音を発生させていた。通常、分離機構により分離された用紙は、給送される用紙と押し戻される用紙に分けられ、押し戻される用紙は戻し爪の爪によって押し戻される。また、給送される用紙は、戻し爪の爪先端に接触しながら給送されている。この時、給送される用紙の後端が戻し爪の爪の先端部を離れた後、用紙経路に当接するまでの間、特にガイドも何も無い為、この用紙の後端は自由な状態になってしまい、急激に用紙の後端が移動して経路に衝突する。これはこしの弱い用紙を給送する場合あまり問題にならないが、こしの強い用紙の場合、撓るように勢い良く用紙経路に衝突する為音が発生する。
【０００６】
本発明は、上記のような種々の課題に鑑みなされたものであり、その目的は、媒体給送時に、媒体の後端が給送経路と衝突する事で発生する衝突音を防止する事が可能な媒体給送装置、及び当該媒体給送装置を備えた記録装置と液体噴射装置を提供する事である。
【課題を解決するための手段】
【０００７】
上記目的達成のため、本発明の媒体給送装置では、媒体を給送する給送ローラと、給送ローラと当接可能に配設され、重送された媒体を分離するリタードローラと、分離された下層の上記媒体を戻す爪を備えた戻し機構と、を含む媒体給送装置であって、上記戻し機構が上記媒体を戻した後に、上記爪の背面が媒体給送経路の一部をなすように形成されている事を特徴とする。これにより、戻し機構の戻す爪の背面が給送媒体のガイドとして機能する為、給送される媒体が戻す爪の先端を通過した後に、給送経路に急激に移動して衝突するのを防いで、衝突音の発生を防止する事が可能である。
【０００８】
また、上記媒体を戻した直後の上記背面を含む面と、当該面と上記給送ローラの外周面との交線における上記給送ローラの接面と、がなす角度が鋭角となる事を特徴とする。これにより、こしの強い媒体を給送する場合でも、上記背面が媒体のガイドとして機能する為、その媒体が撓る様に勢い良く給送経路に衝突する事を防ぎ、媒体が衝突した時に発生する衝突音を防止する事が可能である。
【０００９】
さらに、上記背面は、給送される上記媒体の後端が上記給送経路の他の部分と接触するまで上記背面に接触し続けるように形成されている事を特徴とする。これにより、給送された媒体は給送経路に当接するまで、上記背面から離れる事がなくなり、媒体の急激な移動による給装経路への衝突を防止でき、さらに媒体の衝突音の発生を防止する事が可能である。
【００１０】
上記目的達成の為、本発明の媒体給送装置では、媒体を供給する媒体給送装置であって、上記各分離機構を備えた事を特徴とする媒体に記録する記憶装置であって、上述する媒体給送装置を備えた事を特徴としている。また、本発明の液体噴射装置では、被噴射媒体に液体を噴射する液体噴射装置であって、上記媒体給送装置を備えた事を特徴としている。これにより、上記各作用効果を奏する媒体給送装置と記憶装置と液体噴射装置を提供する事が可能である。
【発明を実施するための最良の形態】
【００１１】
以下、本発明に係る媒体給送装置の一実施形態として、記録装置の１つであるインクジェット式プリンタに用いられている媒体給送装置について、図１乃至図１４を参照しながら説明する。なお、以下に説明する実施形態は特許請求の範囲にかかる発明を限定するものではなく、また実施形態の中で説明されている特徴の組み合わせの全てが発明の解決手段に必須であるとは限らない。
【００１２】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１３】
このインクジェット式複合機１００は、図１に示すように、全体が略直方体状のハウジング１０１で覆われており、下段にプリンタ１１０が配設され、上段にスキャナ１２０が配設された構成となっている。そして、背面側に給紙部１３０が配設され、前面側に給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１４】
ハウジング１０１の上面には、図１に示す矩形平板状のスキャナカバー１０２が配設されている。このスキャナカバー１０２は、前部に取手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１５】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１６】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１７】
ハウジング１０１内には、図２及び図３に示すように、給排紙部１４０、給紙部１３０、記録部１５０等が配設されている。図１に示すように給紙部１３０に、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。
【００１８】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００１９】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００２０】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００２１】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００２２】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２３】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構１４４と、排紙トレイ１４３に用紙を自動的に排送する前面排紙機構１４５が配設されている。
【００２４】
また、本発明では、フロント給排紙口１４１、給紙トレイ１４２、排紙トレイ１４３、前面給紙機構１４４、前面排紙機構１４５を合わせ持つ媒体給送装置をフロントＡＳＦ３４０と言う。
【００２５】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２６】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２７】
図５は、前面給紙機構１４４の詳細を示す側面図であり、図３及び図５を参照して説明する。上記前面給紙機構１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻す本発明の特徴的な部分を含むフロント紙戻しユニット（戻し機構）４４、給送される用紙をＵ字状に反転させる中間ローラ（給送ローラ）４５及びアシストローラ４６等を備えている。
【００２８】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００２９】
リタードローラユニット４３は、中間ローラ４５と当接可能に配設されており、ピックアップローラユニット４１により用紙が重送されたときに最上層の用紙のみを下層の用紙から摩擦分離するようになっている。本発明の特徴的な部分を含むフロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００３０】
前面排紙機構１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００３１】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００３２】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３３】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な機構を含むフロントＡＳＦ３４０について、さらに図を参照して説明する。
【００３４】
図６は、フロントＡＳＦ３４０の給送経路Ｒとその給送経路Ｒ上にある各機構を示す説明図である。フロントＡＳＦ３４０の給送経路Ｒには、図６に示すように給紙上流側から、給紙トレイ１４２と、ピックアップローラユニット４１と、土手部４２と、リタードローラユニット４３と、そのリタードローラユニット４３のリタードローラ６１と当接、離間する中間ローラ（給送ローラ）４５と、アシストローラ４６と、紙送りローラ１５１及びその従動ローラ１５２と、第１排紙ローラ５１及び第１ギザローラ５２と、第２排紙ローラ５３及び第２ギザローラ５４と、そして排紙トレイ１４３とを備えており、以上のものが順番に配置されている。また、給紙トレイ１４２に置かれた用紙をＰ、この給送経路Ｒに給送される用紙をＰ１とする。
【００３５】
フロントＡＳＦ３４０の給送経路Ｒに用紙Ｐ１が給送される場合、その給送経路Ｒ上にある各機構がどのような動きをするか、図６を用いて説明する。まず、給紙トレイ１４２に置かれた用紙Ｐが、ピックアップローラユニット４１によって土手部４２に運ばれる。そして、土手部４２により用紙Ｐ１の先端の向きが中間ローラ４５の方向に変更される。さらに、用紙Ｐが重送された場合は、中間ローラ４５と当接、離間するリタードローラユニット４３によってリタード分離が行われ、重送された用紙は、本発明の特徴的部分を含む図５に示すフロント紙戻しユニット（戻し機構）４４により、給紙トレイ１４２に戻される。この分離機構によって分離された、給送される用紙Ｐ１は中間ローラ４５とアシストローラ４６によって、図３に示すプラテン１５５方向に送られ、そのプラテン１５５の手前にある紙送りローラ１５１とその従動ローラ１５２が、給送されてきた用紙を受け取る。さらに紙送りローラ１５１とその従動ローラ１５２は、用紙Ｐ１をプラテン１５５上に給送し、その先にある第１排紙ローラ５１と第１ギザローラ５２と、第２排紙ローラ５３と第２ギザローラ５４に給送する。そして、第１排紙ローラ５１と第１ギザローラ５２と、第２排紙ローラ５３と第２ギザローラ５４は、その先にある排紙トレイ１４３に用紙Ｐ１を排出する。以上が給送経路Ｒである。次に、本発明の特徴的な部分を含む、フロント紙戻しユニット４４の概略について図を用いて説明する。
【００３６】
図７は、リタードローラユニット４３とフロント紙戻しユニット４４の機構を前方側から見た斜視図であり、図８はリタードローラユニット４３と、フロント紙戻しユニット４４の機構部分を抜き出した斜視図である。
【００３７】
図６、図７に示すように、リタードローラユニット４３は、中間ローラ４５と当接して重送された用紙を最上層の給紙される用紙Ｐ１のみ給紙する為に分離するリタードローラ６１と、このリタードローラ６１を回動自在に軸支持して中間ローラ４５に対し当接・離間させるローラホルダ６２とを備えている。リタードローラ６１は、円筒状に形成されており、円周面は摩擦係数を高めるために例えばゴム等で覆われている。ローラホルダ６２は、一端にリタードローラ６１を回動自在に軸支持し、他端がフレーム４７に回動自在に支持されており、他端側を中心に一端側が旋回自在、すなわちリタードローラ６１を揺動自在に保持している。
【００３８】
図７、８に示すように、本発明の特徴的部分を含むフロント紙戻しユニット４４は、リタードローラユニット４３と共に、フレーム４７に並設されており、フロント紙戻しユニット４４には、リタードローラ６１により分離された下層の用紙Ｐを押し戻す紙戻し７１と、この紙戻し７１を旋回させるとともにリタードローラ６１を揺動させる紙戻し軸７２、この紙戻し軸７２に駆動力を伝達するカムフロア７３と図示しないカムクラッチを備えている。また、紙戻し７１はリタードローラ６１の両側にて紙戻し軸７２から突出するように紙戻し軸７２に一体的に形成されている。カムフロア７３は、Ｌ字状に形成されており、紙戻し軸７２の一端から突出するように紙戻し軸７２に一体的に形成されている。
【００３９】
さらに、紙戻し軸７２は、紙戻し７１を旋回させるとともにリタードローラ６１を揺動させる機能を有している。このため、紙戻し軸７２にはローラホルダ６２を旋回させるためのカム７５が一体的に形成され、ローラホルダ６２にはカム７５と当接・離間するカム受け７６が一体的に形成されている。紙戻し軸７２と紙戻し７１とカム７５とを位相を調整して形成することにより、紙戻し軸７２を回動させたときに、ローラホルダ６２と干渉せずに紙戻し７１を旋回させるとともにリタードローラ６１を揺動させることができる。
【００４０】
なお、本発明の特徴的部分である紙戻し７１の形状については、後にこの発明の効果にて、図を用いて説明するのでここでは省略する。次に、リタードローラユニット４３と本発明の特徴的部分を含むフロント紙戻しユニット４４の用紙Ｐの分離動作について図を用いて説明する。
【００４１】
図９〜１１は、リタードローラユニット４３と、本発明の特徴的部分を含むフロント紙戻しユニット４４の分離動作を示した説明図である。図９は、ピックアップローラユニット４１により給送される用紙Ｐ１が給送され始めた時の状態図であり、図１０は、ピックアップローラユニット４１により用紙Ｐの重送が起きた時の状態図であり、図１１は、本発明の特徴的部分を含むフロント紙戻しユニット４４によって重送された用紙Ｐが分離され、押し戻された時の状態図である。ここで、重送され、押し戻される用紙をＰ２とする。
【００４２】
図９に示すように、給送される用紙Ｐ１は、給紙トレイ１４２にある用紙Ｐの一番上の用紙である。この用紙Ｐ１は、ピックアップローラユニット４１が当接する事により、推進力を受け、土手部４２へと給送される。ここで、土手部４２はピックアップローラユニット４１から用紙に伝えられる推進力によって用紙Ｐ１が中間ローラ４５の方向に向きを変えるような傾斜面を持っており、その傾斜面によって中間ローラ４５のある上方へと、用紙Ｐ１は先端の向きを変える。
【００４３】
しかし、ピックアップローラユニット４１の当接力や用紙Ｐの摩擦係数が高い場合、図１０に示すように、給送される用紙Ｐ１と一緒に用紙Ｐ２が重送されてしまう事がある。そこで重送された用紙Ｐ２の、前述したプラテン１５５（図３参照）までの重送を防ぐ為に、リタードローラユニット４３が配設されている。リタードローラユニット４３は、中間ローラ４５とリタードローラ６１を当接、離間させる事によって給送される用紙Ｐ１と重送された用紙Ｐ２の分離を行う。リタードローラユニット４３は、リタードローラ６１を中間ローラ４５に当接させ、用紙Ｐ２が重送された場合は、給送される用紙Ｐ１と重送された用紙Ｐ２を分離し、給送される用紙Ｐ１のみを給送する。
【００４４】
次にリタードローラユニット４３の分離機構について説明する。リタードローラ６１は、摩擦係数の高いゴム等で外周面が覆われており、動力源を持たない為、用紙Ｐ１のみを給送する際は、用紙Ｐ１を介して中間ローラ４５の動力によって従属的に回転させられる。また、図示しないトルクリミッターを備えているので、リタードローラ６１には、常に回転方向とは逆方向に回転抵抗が作用している。つまり、中間ローラ４５とリタードローラ６１が当接して両方のローラが回転している状態では、リタードローラ６１は回転抵抗をうけつつ中間ローラ４５により回転させられている事になる。この状態で用紙Ｐ１及びＰ２が重送されてきた場合、給送される用紙Ｐ１には中間ローラ４５の回転に伴って、中間ローラ４５とリタードローラ６１の接点（ＮＩＰ点）の接線方向に生じる給送力と、重送された用紙Ｐ２との間の摩擦抵抗が働く。また重送された用紙Ｐ２には、給送される用紙Ｐ１との間に働く摩擦抵抗とリタードローラ６１から回転抵抗による力を受ける事になる。そして、用紙Ｐ１、Ｐ２間の抵抗は、中間ローラ４５の給送力やリタードローラ６１の回転抵抗に比べて小さいので、給送される用紙Ｐ１は、重送された用紙Ｐ２の上を滑って給送される。また、重送された用紙Ｐ２は、リタードローラ６１によって止められ、分離されてＮＩＰ点のすぐ下に留まる。
【００４５】
次に、図１１に示すように、リタードローラユニット４３によって分離されてＮＩＰ点に留まった、重送された用紙Ｐ２は、本発明の特徴的部分を含むフロント紙戻しユニット４４の紙戻し７１によって給紙トレイ１４２に押し戻される。また、給送される用紙Ｐ１は紙戻し７１の先端を通って給送されていく。この時リタードローラユニット４３は、紙戻し軸７２からの動力によってフロント紙戻しユニット４４と入れ替わるように、中間ローラ４５からリタードローラ６１を離間させ、フレーム４７に後退させる。逆にリタードローラユニット４３が中間ローラ４５とリタードローラ６１を当接させる場合は紙戻し７１がフレーム４７内に後退する。以上のように、リタードローラユニット４３とフロント紙戻しユニット４４は、重送された用紙Ｐ２の分離を行い、また、交互に展開する事で分離と紙戻しの二つの動作を行う事が可能である。
【００４６】
このような構成において、インクジェット式複合機１００にて用紙に記録する場合の動作について説明する。ユーザは、記録前の複数枚の用紙を給紙トレイ１４２に収納してインクジェット式複合機１００を起動する。給紙トレイ１４２に積層収納された用紙は、ピックアップローラユニット４１により中間ローラ（給送ローラ）４５に摩擦給送され、最上層の用紙のみが、紙戻し軸７２により駆動されるリタードローラユニット４３（分離機構）により分離されて給送され、分離された下層の用紙は、紙戻し軸７２により駆動される紙戻し７１により給紙トレイ１４２に戻される。そして、用紙は、スキュー取り及び頭出しされた後、紙送り機構１５６により駆動されている紙送りローラ１５１とその従動ローラ１５２に挟持されてプラテン１５５へ給送される。
【００４７】
用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。次に、この特徴的部分である紙戻し７１に関して図を用いて説明する。
【００４８】
図１２は、本発明の特徴的な部分である紙戻し７１の形状を説明する為の第１の図である。図１３は、従来用いられてきたフロント紙戻しユニット４４１（比較例）の説明図である。図１４は、本発明の特徴的な部分である紙戻し７１を説明する為の第２の図であって、用紙Ｐ１の後端が紙戻し７１の背面部に接触しつつ給送される状態を示す。
【００４９】
図１２に示す紙戻し７１は、重送された用紙Ｐ２を押し戻す紙戻し爪部（戻す爪）７１ａと、本発明の特徴的な部分である紙戻し背面部（爪の背面）７１ｂを持つ事を特徴としている。この紙戻し背面部７１ｂは、図７に示すフレーム４７の、中間ローラ４５と向かい合う曲面で形成された給送経路案内部Ｒ１と一体となって、中間ローラ４５によって給送される用紙が通過する給送経路Ｒを形成する。
【００５０】
一方、図１３に示すフロント紙戻しユニット４４１は、前述したフロント紙戻しユニット４４との比較例であって、比較例の紙戻し背面部７１１ｂは、図に示すように給送経路Ｒに対して大きく切り取られたような形状となっており、給送される用紙Ｐ１の給送経路Ｒを形成していない。また、紙戻し爪部７１１ａは重送された用紙Ｐ２に対してほぼ垂直に当たるように形成されている。なお、図１３に示すフロント紙戻しユニット４４１は、紙戻し７１の形状以外は、本実施形態に係るフロント紙戻しユニット４４と同じである。
【００５１】
前述したように、紙戻し背面部７１１ｂは、給送される用紙Ｐ１の給送経路Ｒを形成しておらず、また、用紙Ｐ１の後端が紙戻し背面部７１１ｂに触れたとしても、紙戻し背面部７１１ｂは、給送経路Ｒに対して大きく切り取られたような形状となっている為、用紙Ｐ１が例え触れたとしても十分な抵抗にはならない。その為、紙戻し背面部７１１ｂは、ガイドの役目を果たさず、給送された用紙Ｐ１の後端は、紙戻し爪部７１１ａの先端を通過した後、紙戻し背面部７１１ｂに留まる事なく、急激に移動して給送経路案内部Ｒ１１に衝突してしまう。この時、こしの強い用紙を給送すると、用紙Ｐ１は、図６に示すように、給送経路Ｒが中間ローラ４５の所で大きくＵ字になっている為、給送経路案内部Ｒ１１に向けて強い反発力を発生させられる。この反発力を抑えるガイドの役目を紙戻し背面部７１１ｂが果たさない為、用紙Ｐ１の後端は、撓る様に給送経路案内部Ｒ１１に衝突してしまい、音が発生する。
【００５２】
また、重送された用紙Ｐ２を押し返す紙戻し爪部７１１ａも重送された用紙Ｐ２に対して、ほぼ垂直に当たる形状となっている為、用紙Ｐ２の先端折れ現象が発生してしまう。さらに、紙戻し爪部７１１ａのオーバーラップ量ｔ１が大きい為、給送される用紙Ｐ１の裏面を、紙戻し爪部７１ａが引っかいてしまい、傷を作ってしまう。
【００５３】
これに対し、図１２、１４に示す、本実施形態に係るフロント紙戻ユニット４４では、図１４に示す紙戻し７１の紙戻し背面部７１ｂは、給送される用紙Ｐ１の給送経路を形成するような形状となっており、更に、給送される用紙Ｐ１の後端が、給送経路案内部Ｒ１に当接するまで紙戻し背面部７１ｂに接触し続ける形状になっている。また、紙戻し背面部７１ｂは、中間ローラ４５の外周面と、紙戻し背面部７１ｂを含む面との交点７１ｃ上から引かれた中間ローラ４５の接線と、紙戻し背面部７１ｂとのなす角度θ１が鋭角となる角度を持つように形成されている。
【００５４】
これにより、図１４に示すように紙戻し７１が図７に示すフレーム４７から突出し、用紙Ｐ１の給送を行う場合、紙戻し背面部７１ｂは、給送される用紙Ｐ１が給送経路案内部Ｒ１に急激に移動して衝突しないよう、紙戻し背面部７１ｂ自身が給送経路Ｒになり、更に、給送される用紙Ｐ１の後端が、給送経路案内部Ｒ１に当接するまで紙戻し背面部７１ｂに接触し続けるガイドとしての役目を果たす。これにより、用紙Ｐ１が給送経路案内部Ｒ１に急激に衝突する事を抑制する。
【００５５】
また、紙戻し背面部７１ｂが、中間ローラ４５の外周面と、紙戻し背面部７１ｂを含む面との交点７１ｃから引かれた中間ローラ４５の接線と、紙戻し背面部７１ｂとのなす角度θ１が鋭角となる角度を持つように形成されている為、給送される用紙Ｐ１がこしの強い用紙でも、用紙の後端は紙戻し背面部７１ｂに接触したまま、給送経路案内部Ｒ１に接触する事が可能となる。この為、給送された用紙Ｐ１は、撓る様に勢い良く給送経路案内部Ｒ１に衝突する事がなくなり、この衝突によって発生していた音を防止する事が可能となる。なお、上記角度θ１は、経験上４０度以下ならば、こしの強い用紙による音の発生を防止する事が可能である事が判っており、角度θ１が更に小さい方が、音の抑制には効果がある事も判っている。しかし、紙戻し７１は図７に示すフレーム４７内に退避する必要があるので、本実施形態では２４度になるように形成させている。
【００５６】
紙戻し背面部７１ｂが、中間ローラ４５の外周面と、紙戻し背面部７１ｂを含む面との交点７１ｃから引かれた中間ローラ４５の接線と、紙戻し背面部７１ｂとのなす角度θ１が鋭角となる角度を持つように形成されている理由について説明する。これは、こしの強い用紙を給送している場合、前述したように、用紙Ｐ１は給送経路Ｒが中間ローラ４５の所で大きくＵ字になっている為、給送経路案内部Ｒ１に向けて強い反発力を発生させられる。これが、急激に用紙Ｐ１の後端が移動して経路に衝突する原因のひとつである。ここで、紙戻し背面部７１ｂと、接点７１ｃから引かれた中間ローラ４５の接線とのなす角度θ１の値が大きいと用紙Ｐ１の後端が紙戻し背面部７１ｂに触れたとしても、十分な抵抗にはならず、ガイドの役目を果たせずに、給送案内部Ｒ１に用紙Ｐ１の後端が衝突してしまうからである。この為、角度θ１は、用紙Ｐ１の後端に大きな抵抗を与える事が可能な、鋭角となるように形成されている。
【００５７】
紙戻し７１は、紙を戻す際、突出しても中間ローラ４５と当接しないように配置されている。そして、分離された用紙Ｐ２を押し戻す際に、紙戻し爪部７１ａの先端部は、中間ローラ４５の外周面にあるＮＩＰ点より少しオーバーラップして突出するようになっている。このときオーバーラップ量ｔが大き過ぎると、給送される用紙Ｐ１の裏面を、紙戻し爪部７１ａが引っかいてしまい、傷を作ってしまう。そこで、オーバーラップ量ｔを好適に調節することにより、給送される用紙Ｐ１の裏面に傷がつかないようにし、本実施形態においては、上記オーバーラップ量ｔを０ｍｍ〜１．７５ｍｍとした。これにより、紙戻し爪部７１ａが給送される用紙Ｐ１の裏面に傷を作る事がなく、用紙Ｐ１を給送することが可能である。
【００５８】
また、紙戻し爪部７１ａは、爪の先端形状が平面ではなく、図７、１２に示すように、窪んでいる。この形状により、実際に重送された用紙Ｐ２を戻す際、重送された用紙Ｐ２の先端部にかかる力を低減でき、これにより、重送された用紙Ｐ２の先端折れ現象を低減させる事が可能となった。
【００５９】
また、衝突音の発生防止に対して、特に静音材等を使用していない為、コストダウンにも繋がっている。
【００６０】
以上、本発明の一の実施形態のインクジェット式複合機１００によれば、媒体を給送する中間（給送）ローラ４５と、中間ローラ４５と当接可能に配設され、重送された媒体を分離するリタードローラユニット４３と、分離された下層の媒体を戻す紙戻し爪部７１ａを備えたフロント紙戻しユニット４４と、を含む媒体給送装置であって、フロント紙戻しユニット４４が下層の媒体を戻した後に、紙戻し背面部７１ｂが媒体給送経路の一部をなすように形成されている事を特徴とする。これにより、フロント紙戻しユニット４３の紙戻し背面部７１ｂが給送媒体のガイトとして機能する為、給送される媒体が紙戻し爪部７１ａの先端を通過した後に、給送経路に急激に移動して衝突するのを防ぎ、衝突音の発生を防止する事が可能である。
【００６１】
また、媒体を戻した直後の紙戻し背面部７１ｂを含む面と、当該面と中間ローラ４５の外周面との交線における中間ローラ４５の接面と、がなす角度θ１が鋭角となる事を特徴とする。これにより、こしの強い媒体を給送する場合でも、紙戻し背面部７１ｂが媒体のガイドとして機能する為、その媒体が撓る様に勢い良く給送経路案内部Ｒ１に衝突する事を防ぎ、媒体が衝突した時に発生する衝突音を防止する事が可能である。
【００６２】
さらに、紙戻し背面部７１ｂは、給送される媒体の後端が給送経路案内部Ｒ１の他の部分と接触するまで紙戻し背面部７１ｂに接触し続けるように形成されている事を特徴とする。これにより、給送された媒体は給送経路案内部Ｒ１に当接するまで、紙戻し背面部７１ｂから離れる事がなくなり、媒体の急激な移動による給装経路案内部Ｒ１への衝突を防止でき、さらに媒体の衝突音の発生を防止する事が可能である。
【産業上の利用可能性】
【００６３】
媒体給送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００６４】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】フロントＡＳＦの給送経路とその給送経路上にある各機構を抜き出した断面の説明図である。
【図７】リタードローラユニットとフロント紙戻しユニットの機構を前方側から見た斜視図である。
【図８】リタードローラユニットと、フロント紙戻しユニットの機構部分を抜き出した斜視図である。
【図９】ピックアップローラユニットにより給送される用紙が給送され始めた時の状態図である。
【図１０】ピックアップローラユニットにより給送される用紙の重送が起きた時の状態図である。
【図１１】本発明の特徴的部分を含むフロント紙戻しユニットによって用紙が押し戻された時の状態図である。
【図１２】本発明の特徴的な部分である紙戻しの形状を説明する為の第１の図である。
【図１３】従来用いられてきたフロント紙戻しユニット（比較例）の説明図である。
【図１４】本発明の特徴的な部分である紙戻しを説明する為の第２の図である。
【符号の説明】
【００６５】
２１  第１サポート、２２  第２サポート、２３  固定エッジガイド、２４  可動エッジガイド、３１  ホッパ、３２  給紙ローラ、４３  リタードローラユニット、４４  フロント紙戻しユニット、４５  中間ローラ（給送ローラ）、６１  リタードローラ、６２  ローラホルダ、６３  リタードローラ引張バネ、７１、８１  紙戻し、７１ａ  紙戻し爪部、７１ｂ  紙戻し背面部、７２、８２  紙戻し軸、７３  カムフロア、７４  カムクラッチ、７５  カム、７６  カムフロア、１００  インクジェット式複合機、１０１  ハウジング、１１０  プリンタ、１２０  スキャナ、１３０  給紙部、１３１  リア給紙口、１３２  フレーム、１３３  ペーパーサポート、１３４  リアＡＳＦ、１４０  給排紙部、１４１  フロント給排紙口、１４２  給紙トレイ、１４３  排紙トレイ、１４４  前面給紙機構、１５０  記録部、３４０  フロントＡＳＦ
【図１】
2006117387.tif 000003
【図２】
2006117387.tif 000004
【図３】
2006117387.tif 000005
【図４】
2006117387.tif 000006
【図５】
2006117387.tif 000007
【図６】
2006117387.tif 000008
【図７】
2006117387.tif 000009
【図８】
2006117387.tif 000010
【図９】
2006117387.tif 000011
【図１０】
2006117387.tif 000012
【図１１】
2006117387.tif 000013
【図１２】
2006117387.tif 000014
【図１３】
2006117387.tif 000015
【図１４】
2006117387.tif 000016